(57)【特許請求の範囲】
【請求項１】
遊技機設置島の上部に横設された支持枠に垂直状に配設された幕板を開放状態に保持する幕板の支持装置であって、前記支持枠の下面に取付けられた支持枠側軸部材と、幕板に取付けられた幕板側軸部材と、平行クランク列を形成して後端部が支持枠側軸部材に軸着され先端部が幕板側軸部材に軸着されて上下方向に回動する一対のスイングアームと、スイングアームの後端部に係着された付勢部材とからなり、各々のスイングアームの後端部にスイングアームの上下方向の回動と水平方向のスライド移動とを可能とする長孔を設けて、この長孔によりスイングアームを支持枠側軸部材に軸着し、幕板を持ち上げてスイングアームが下向きから水平状に回動された時に付勢部材がスイングアームを遊技機設置島後方にスライド移動させることにより、一方のスイングアームの後端部の上側が支持枠の下面に当接してスイングアーム先端部の下方への回動が制止され、スイングアームが幕板を垂直状の開放状態に保持するようにしたことを特徴とする幕板の支持装置。
【請求項２】
支持枠側軸部材に平坦面を有する支軸を設けたうえ、長孔を、前記支軸が挿入されてスイングアームの回動を可能とする円形状の孔主部と、前記支軸が嵌め込まれて支軸の平坦面によりスイングアームの回動を制止する支軸嵌入部とが連設されたものとして、この長孔に前記支軸を挿入してスイングアームを軸着した請求項１に記載の幕板の支持装置。
【発明の詳細な説明】
【０００１】
【発明の属する技術分野】
本発明は、遊技機が多数台列設された遊技機設置島の上部を垂直状に覆うように配設された幕板を開放状態に保持するための幕板の支持装置に関するものである。
【０００２】
【従来の技術】
パチンコ機などの遊技機が多数台列設された遊技機設置島の上部には、この上部を垂直状に覆うように幕板が配設されているが、幕板は保守点検作業時に開放できるように開閉自在に取り付けられている。該幕板を開放状態に保持する幕板の支持装置として、例えば図８、９に示すような構造のものがある。図において、幕板１は遊技機設置島の上部に横設された支持枠６にヒンジで取り付けられているが、下方に垂れて閉鎖されている幕板１を開放するに際して先ずこの幕板１の下端を上方に回動して持ち上げたうえ、ヒンジ２を支点として内側に折り曲げられたアーム部材３を回動させて伸ばすことによって、このアーム部材３によって幕板１を水平状の開放状態に支承することができる。しかしながら、このような構造の支持装置においては、幕板１の持ち上げ、アーム部材３の引き伸ばし、幕板１のアーム部材３上への載置という一連の作業を行う必要があるが、幕板１は遊技機設置島４の上部という高い位置に設けられているために、また、特に営業中においては遊技者が遊技を行っているために幕板１の開放或いは閉鎖が大変困難であるという問題があった。また、遊技機設置島４の上方に照明灯５が設置されている場合には、幕板１を水平状に開放した時に幕板１が照明灯５の光を遮ってしまうので手元が暗くなり作業がしづらいという問題があった。
【０００３】
【発明が解決しようとする課題】
本発明は上記した従来の問題点を解決し、開放時においても照明灯の光を遮ることがなく、且つ簡単に幕板を開閉することができる幕板の支持装置を提供するためになされたものである。
【０００４】
【課題を解決するための手段】
上記の課題を解決するためになされた本発明の幕板の支持装置は、遊技機設置島の上部に横設された支持枠に垂直状に配設された幕板を開放状態に保持する幕板の支持装置であって、前記支持枠の下面に取付けられた支持枠側軸部材と、幕板に取付けられた幕板側軸部材と、平行クランク列を形成して後端部が支持枠側軸部材に軸着され先端部が幕板側軸部材に軸着されて上下方向に回動する一対のスイングアームと、スイングアームの後端部に係着された付勢部材とからなり、各々のスイングアームの後端部にスイングアームの上下方向の回動と水平方向のスライド移動とを可能とする長孔を設けて、この長孔によりスイングアームを支持枠側軸部材に軸着し、幕板を持ち上げてスイングアームが下向きから水平状に回動された時に付勢部材がスイングアームを遊技機設置島後方にスライド移動させることにより、一方のスイングアームの後端部の上側が支持枠の下面に当接してスイングアーム先端部の下方への回動が制止され、スイングアームが幕板を垂直状の開放状態に保持するようにしたことを特徴とするものである。なお、支持枠側軸部材に平坦面を有する支軸を設けたうえ、長孔を、前記支軸が挿入されてスイングアームの回動を可能とする円形状の孔主部と、前記支軸が嵌め込まれて支軸の平坦面によりスイングアームの回動を制止する支軸嵌入部とが連設されたものとして、この長孔に前記支軸を挿入してスイングアームを軸着するのが望ましい。
【０００５】
本発明の幕板の支持装置は、遊技機設置島の上部に横設された支持枠に垂直状に配設された幕板を開放状態に保持する幕板の支持装置であって、前記支持枠の下面に取付けられた支持枠側軸部材と、幕板に取付けられた幕板側軸部材と、平行クランク列を形成して後端部が支持枠側軸部材に軸着され先端部が幕板側軸部材に軸着されて上下方向に回動する一対のスイングアームと、スイングアームの後端部に係着された付勢部材とからなり、各々のスイングアームの後端部にスイングアームの上下方向の回動と水平方向のスライド移動とを可能とする長孔を設けて、この長孔によりスイングアームを支持枠側軸部材に軸着し、幕板を持ち上げてスイングアームが下向きから水平状に回動された時に付勢部材がスイングアームを遊技機設置島後方にスライド移動させることにより、一方のスイングアームの後端部の上側が支持枠の下面に当接してスイングアーム先端部の下方への回動が制止されるので、スイングアームが幕板を垂直状の開放状態に保持することができる。
【０００６】
【発明の実施の形態】
以下に図面を参照しつつ本発明の好ましい実施形態を示す。
図１、２は幕板が閉鎖状態にある時の本発明の支持装置を示す図であって、幕板１は遊技機設置島４の上部に横設した支持枠６に支持装置を介して垂直状に取り付けられている。前記支持装置は２本のＬ字型のスイングアーム７と、支持枠側軸部材８と、幕板側軸部材９と、スイングアーム７の後端部に取付けられた付勢部材１０とからなる。幕板側軸部材９は、木ねじなどにより幕板１に固定される垂直状の取付片９１と、その両側に所要間隔をおいて設けられた２枚の立設片９２とからなり、２枚の立設片９２には上下方向に所定の間隔に位置をずらして軸着孔９３が設けられている。また、支持枠側軸部材８は、木ねじなどにより支持枠６下面に固定される水平状の取付片８１と、この取付片８１に前記所要間隔と同一の間隔をおいて設けられた２枚の垂設片８２とからなり、２枚の垂設片８２の内側には平坦面を有する略半円柱状乃至は蒲鉾形の支軸８３が水平状に、且つ上下方向に前記と同じ所定の間隔に位置をずらして突設されている。なお、前記した平坦面は支軸８３の下側及び上側の何れか、又は双方に設けてもよいものである。
【０００７】
また、スイングアーム７の後端部には図３に示す形状の長孔７１が設けられているが、この長孔７１は、幕板１の回動時に前記支軸８３が嵌め込まれてスイングアーム７を回動させることのできる円形状の孔主部７２と、幅が支軸８３の高さと同じであってスイングアーム７が水平状にある時に支軸８３が嵌め込まれて支軸８３の平坦面でもってスイングアーム７の回動を制止してスイングアーム７を水平状に保持することのできる支軸嵌入部７３とが連設されたものである。そして、図２に示すように、スイングアーム７が下方に回動されている時は、長孔７１の孔主部７２に支軸８３が挿入されてスイングアーム７は上方に回動可能に支軸８３に挿着されている。また、スイングアーム７の先端部には支軸７４が突設されて、支軸７４が前記軸着孔９３に回動自在に嵌合されているが、この支軸７４は幕板側軸部材９に設けてもよいものであって、この場合にはスイングアーム７に軸着孔９３が設けられる。
【０００８】
上記したような支持枠側軸部材８の支軸８３にスイングアーム７の長孔７１の孔主部７２を嵌め込み、幕板側軸部剤９の軸着孔９３にスイングアーム７に設けた支軸７４を嵌め込むことによって、一対のスイングアーム７が上下及び左右に所要間隔をおいて支持枠６と幕板１との間に軸着されて平行リンク列が構成されている。
【０００９】
また、図１に示すようにスイングアーム７の後端部にはコイルばねである付勢部材１０が係着されているが、この付勢部材１０は、幕板１が閉鎖されてスイングアーム７が下方に回動されている時には伸長されていて、スイングアーム７の後端部を引き付けてスイングアーム７の先端部を上方に回動する方向に付勢している。そして、幕板１が上方に持ち上げられてスイングアーム７が下向きから水平状の横向きに回動された時に、付勢部材１０がスイングアーム７を遊技機設置島後方にスライド移動させて支軸８３を長孔７１の支軸嵌入部７３に嵌め込むことができる。
【００１０】
遊技機設置島４の上部に取付られた幕板１は、下方から上方に回動させることによって、図４に示すように垂直状に維持したまま照明灯５の横付近に回動させることができる。この時伸長している付勢部材１０がスイングアーム７の先端を上方に回動する方向に付勢するので幕板１の回動を楽に行うことができる。そして、Ｌ字側に折り曲がったスイングアーム７の支持枠側のアーム７５が下向きから水平状の横向きになった時には、付勢部材１０がスイングアーム７を引き付けて遊技機設置島４の後方にスライド移動させるので、図５、６に示すように、長孔７１の孔主部７２に挿入されていた支軸８３は支軸嵌入部７３に嵌め込まれることとなって、支軸８３の平坦面がスイングアーム７の回動を制止する。付勢部材１０がスイングアーム７を引き付けるので作業者がスイングアーム７を押し込む必要がない。また、支軸嵌入部７３に支軸８３が嵌入された時には、一対のスイングアーム７のうち上側のスイングアーム７の上側面７６の後端部が支持枠６の下面に当接することとなって、支持枠６がスイングアーム７後端部の上方への回動を制止する。即ち、支持枠６と、長孔７１の支軸嵌入部７３に嵌め込まれた支軸８３とが、スイングアーム７先端部の下方への回動を制止するので、スイングアーム７の先端部に軸着された幕板１を垂直状の開放姿勢に安定保持させることができる。
【００１１】
以上のように幕板１を単に上方に回動させるだけで幕板１を垂直状の開放姿勢に保持することができ、幕板１の開放状態においては、支持枠６と幕板１との間にスイングアーム７分の隙間を確保することができるので、照明灯５の光が幕板１によって遮られることがない。
【００１２】
また、幕板１を閉鎖する時には付勢部材１０の引き付け力に抗して幕板１を手前側に一旦引き出して支軸嵌入部７３に嵌め込まれていた支軸８３を孔主部７２に嵌め込むことにより、支持枠６が上側のスイングアーム７の後端部の回動範囲外に存在することとなって、支持枠６による上側のスイングアーム７の回動の制止が解除され、また、支軸８３の平坦面による回動の制止も解除されることとなって、スイングアーム７は回動可能となる。従って、幕板１を下方に回動させれば、幕板１の自重を利用して幕板１を簡単に閉鎖することができる。上記したような幕板の支持装置を、図７に示すように、幕板１の両端など適宜の位置に配設することによって、遊技機設置島４の上部に幕板１を開閉自在に取付けることができる。
【００１３】
【発明の効果】
以上に説明したように、本発明の幕板の支持装置は、遊技機設置島の上部に横設された支持枠に垂直状に配設された幕板を開放状態に保持する幕板の支持装置であって、前記支持枠の下面に取付けられた支持枠側軸部材と、幕板に取付けられた幕板側軸部材と、平行クランク列を形成して後端部が支持枠側軸部材に軸着され先端部が幕板側軸部材に軸着されて上下方向に回動する一対のスイングアームと、スイングアームの後端部に係着された付勢部材とからなり、各々のスイングアームの後端部にスイングアームの上下方向の回動と水平方向のスライド移動とを可能とする長孔を設けて、この長孔によりスイングアームを支持枠側軸部材に軸着し、幕板を持ち上げてスイングアームが下向きから水平状に回動された時に付勢部材がスイングアームを遊技機設置島後方にスライド移動させることにより、一方のスイングアームの後端部の上側が支持枠の下面に当接してスイングアーム先端部の下方への回動が制止されるので、スイングアームが幕板を垂直状の開放状態に保持することができる。従って、幕板の開放時には支持枠と幕板との間にスイングアーム分の隙間を確保することができるので、照明灯の光が幕板によって遮られることがない。また、支軸を平坦面を有するのものとし、長孔を、前記支軸が挿入されてスイングアームの回動を可能とする円形状の孔主部と、前記支軸が嵌め込まれて平坦面によりスイングアームの回動を制止する支軸嵌入部とが連設されたものとしたので、支軸が孔主部にある時にはスイングアームは回動することができ、支軸が支軸嵌入部にある時は支軸によりスイングアームの回動が制止されてスイングアームを水平状に保持することができる。
従って、本発明の幕板の支持装置は、開放時においても照明灯の光を遮ることがなく、且つ簡単に幕板を開閉することができる大きな利点を有するものである。
【図面の簡単な説明】
【図１】  幕板が閉鎖状態にある時の本発明の支持装置の正面図である。
【図２】  幕板が閉鎖状態にある時の本発明の支持装置の斜視図である。
【図３】  スイングアームの部分拡大図である。
【図４】  幕板が開放動作中である本発明の支持装置の正面図である。
【図５】  幕板が開放状態に保持された時の本発明の支持装置の正面図である。
【図６】  支軸嵌入部に支軸が嵌め込まれた状態のスイングアームの部分拡大図である。
【図７】  遊技機設置島の上部を示す斜視図である。
【図８】  従来の幕板の支持装置の斜視図である。
【図９】  従来の幕板の支持装置の正面図である。
【符号の説明】
１  幕板
４  遊技機設置島
６  支持枠
７  スイングアーム
７１  長孔
７６  スイングアームの上側面
８  支持枠側軸部材
９  幕板側軸部材
１０  付勢部材
【図１】
0003835750.tif 000002
【図２】
0003835750.tif 000003
【図３】
0003835750.tif 000004
【図４】
0003835750.tif 000005
【図５】
0003835750.tif 000006
【図６】
0003835750.tif 000007
【図７】
0003835750.tif 000008
【図８】
0003835750.tif 000009
【図９】
0003835750.tif 000010